(57)【特許請求の範囲】
【請求項１】
軟化剥離剤を塗布して床面に張り付けた長尺シート床材、プラスチックタイル床材、ウレタン塗り床材などを剥離する際に、軟化剥離剤が湿潤して床材が剥離できる状態になるまでの間、床材を歩行する時に滑らないように床材の上に敷設する滑り防止材であって、２枚の上下板の間に中空構造が形成されたプラスチック段ボールからなる表面材と、当該表面材の裏面側に、床材に喰い込む斜立した菱形網目を作るエキスパンテッド・メタルラスが止着されていることを特徴とする剥離する床材の上に敷く滑り防止材。
【請求項２】
前記エキスパンテッド・メタルラスは、前記表面材の裏面側に、斜立した菱形網目を横方向、および縦方向に交差させて複数枚を重ね合わせて止着されていることを特徴とする請求項１に記載の剥離する床材の上に敷く滑り防止材。
【請求項３】
軟化剥離剤を塗布して床面に張り付けた長尺シート床材、プラスチックタイル床材、ウレタン塗り床材などを剥離する際に、軟化剥離剤が湿潤して床材が剥離できる状態になるまでの間、床材を歩行する時に滑らないように床材の上に敷設する滑り防止材であって、２枚の上下板の間に中空構造が形成されたプラスチック段ボールからなる表面材と、当該表面材の裏面側に、床材に喰い込むビスが打ち込まれた数枚の細幅の木材片が所定間隔毎に配設されていることを特徴とする剥離する床材の上に敷く滑り防止材。
【発明の詳細な説明】
【技術分野】
【０００１】
本発明は、軟化剥離剤を塗布して床面に張り付けてあるビニールシート、ゴムシート、リノリウム、プラスチックタイル（Ｐタイル）、ウレタン塗り床材など剥離する床材の上に敷く滑り防止材に関するものである。
【背景技術】
【０００２】
マンションなどの開放廊下、階段、ベランダ、バルコニーなどに敷設されているビニールシートなどの長尺シート床材は、色や柄模様のデザインが施されており、コンクリート面や鉄面などに貼り付けることにより、外観を優美に見せる意匠性と、凹凸部を設けて歩行時に滑らないようにする安全性と、深夜や早朝の歩行時に聞こえる靴音の遮音性などのために敷設されている。
【０００３】
この床シートは、耐久性、耐候性、耐摩耗性などに優れており、長き使用に耐え得ることができても、時間の経過と共に劣化することは間違いなく、次第に汚損、変色、摩耗、損傷などが生じることになる。そうすると、剥離して新しい床シートに張り替える必要が生じる。
【０００４】
その床シートの剥離に際しては、薄鋼板製のスクレイパーや皮すきの先を床シートと下地の間に差し込んで手作業で剥離する方法で行われていたが、床シートはコンクリート面に塗布された接着剤と強固に接着されているから、簡単に剥離できず、その剥離作業は大変力のいる作業になり、作業者は体力を消耗し作業効率が上がらなかった。
【０００５】
そこで、体力を消耗しなくてすみ、容易に剥離できるものとして、モータ駆動の機械方式の床材剥離機が使用されている。その床材剥離機には種々のタイプのものが提供されているが、例えば、手押しハンドルを備えると共に、刃物ブラケットの先端に取り付けた刃板を前後方向に揺動させ、床台と床シートとの間に刃板を打ち込んで接着剤層を切離して床シートを剥離するタイプと、前述と同じように手押しハンドルを備え、刃物ブラケットの先端の刃板を左右方向に揺動させるタイプなどがある。
【０００６】
これらの床材剥離機は、前述のように、刃物ブラケットの先端に取り付けた刃板を前後方向または左右方向に震動させることにより剥離するのであるが、この振動音が大きくて騒音になるばかりでなく、刃板が床台のコンクリート面に当たると、粉塵が発生し、その粉塵が飛散するため汚染されて作業環境が悪くなり作業者の健康を害すると共に、居住者に多大の迷惑をおよぼすことになる。そのため、居住者の迷惑のかからない所では使用できても、影響の大きい所では使用できず、従来方式の作業者によるスクレイパーや皮すきの手作業で剥離しているのが現状であり、何といっても作業効率が悪いといった問題点があった。
【０００７】
このような問題を解決する剥離方法として、軟化剥離剤を塗布して所定時間経過後、軟化した床シートを剥離することが行われている。この軟化剥離剤方法によれば、軟化剥離剤が床シート全体に軟化膨潤すれば容易に剥離できるが、床シート全体に亘って軟化膨潤するまで比較的長い時間かかるため、室外から出る時にはどうしても軟化剥離剤の塗布された床シート上を歩行しなければならず、軟化剥離剤が塗布されているから、非常に滑りやすく転倒する危険性があった。
【０００８】
それを防ぐため、床シートの上に合成樹脂シートやベニヤ板などを敷く応急措置的なもので間に合わせていたが、これらのものは接着テープで四方を仮止めする止着手段が必要であり、敷設するのに手間を要するばかりでなく、床面と合成樹脂シートやベニヤ板との間にズレが生じることから、滑り防止効果の効き目がなかった。
【０００９】
そこで、表面に多数の凹凸部が形成され、裏面全面に粘着剤層が形成された滑り止め養生シート（例えば、特許文献１参照）を使用したり、あるいは２枚の硬質繊維板が剥離可能に重合され、これら硬質繊維板の外面に硬質繊維版と同原料の木質繊維からなる多数の凸部を突設した建築用養生板（例えば、特許文献２参照）などが用いられていた。
【先行技術文献】
【特許文献】
【００１０】
【特許文献１】実用新案登録第２５９９８１１号公報
【特許文献２】実用新案登録第２５９９５０２号公報
【発明の概要】
【発明が解決しようとする課題】
【００１１】
しかしながら、前記特許文献１の滑り止め養生シートおよび特許文献２の建築用養生板は、いずれも出来上がった床材を汚したり、傷つけたりするのを防いで保護する養生のために使用するものであり、床シートの上に敷きその上を歩行する時の滑りを防止するものではなく、滑り効果の効き目がないといった問題点があった。
【００１２】
本発明は、上記のような問題点を解決することを課題として開発されたもので、軟化剥離剤を塗布して床面に張り付けてあるビニールシート、ゴムシート、リノリウム、プラスチックタイル、ウレタン塗り床材など剥離する床材の上に敷いて、歩行時に滑って転倒することがないよう安全に歩行できる滑り防止材を提供することを目的とするものである。
【課題を解決するための手段】
【００１３】
上記の課題を解決し、その目的を達成する手段として、本発明は、軟化剥離剤を塗布して床面に張り付けた長尺シート床材、プラスチックタイル床材、ウレタン塗り床材などを剥離する際に、軟化剥離剤が湿潤して床材が剥離できる状態になるまでの間、床材を歩行する時に滑らないように床材の上に敷設する滑り防止材であって、２枚の上下板の間に中空構造が形成されたプラスチック段ボールからなる表面材と、当該表面材の裏面側に、床材に喰い込む斜立した菱形網目を作るエキスパンテッド・メタルラスが止着されていることを特徴とする剥離する床材の上に敷く滑り防止材を開発し、採用した。
【００１４】
また、上記のように構成した剥離する床材の上に敷く滑り防止材において、エキスパンテッド・メタルラスは、前記表面材の裏面側に、斜立した菱形網目を横方向、および縦方向に交差させて複数枚を重ね合わせて止着されていることを特徴とする剥離する床材の上に敷く滑り防止材を開発し、採用した。
【００１５】
さらに、本発明は、軟化剥離剤を塗布して床面に張り付けた長尺シート床材、プラスチックタイル床材、ウレタン塗り床材などを剥離する際に、軟化剥離剤が湿潤して床材が剥離できる状態になるまでの間、床材を歩行する時に滑らないように床材の上に敷設する滑り防止材であって、２枚の上下板の間に中空構造が形成されたプラスチック段ボールからなる表面材と、当該表面材の裏面側に、床材に喰い込むビスが打ち込まれた数枚の細幅の木材片が所定間隔毎に配設されていることを特徴とする剥離する床材の上に敷く滑り防止材を開発し、採用した。
【発明の効果】
【００１６】
本発明の請求項１によれば、剥離する床材の上に敷く滑り防止材は、２枚の上下板の間に中空構造が形成されたプラスチック段ボールからなる表面材と、当該表面材の裏面側に、床材に喰い込む斜立した菱形網目のエキスパンテッド・メタルラスが止着されているから、滑り防止材の上を歩行すると、重力が加わって斜立した菱形網目が床シートに容易に喰いこみ、喰いこんだ後においても抜けるようなことがなく、その上を歩行しても滑ることなく安全に通行できる。
【００１７】
また、請求項２によれば、前記エキスパンテッド・メタルラスは、前記表面材の裏面側に、斜立した菱形網目を横方向、および縦方向に交差させて複数枚を重ね合わせて止着されているから、１枚のエキスパンテッド・メタルラスより下方に突出した状態になり、一定の角度で傾斜して斜立して突き刺しやすい菱形網目により床材への喰い込みがよくなり、一層の滑り防止効果が発揮できるものである。
【００１８】
さらに、請求項３によれば、表面材の裏面側に、床材に喰い込むビスが打ち込まれた数枚の細幅の木材片が所定間隔毎に配設してあるから、滑り防止材の上を歩行すると、重力が加わってビスの先端部が床シートに容易に喰いこみ、喰いこんだ後においても抜けるようなことがなく、その上を歩行しても滑ることなく安全に通行できる。また、ビスの尖鋭部が千鳥状に配設されているから、床シートへの喰い込みが安定する。さらに、床シートと接する木材片が一枚板でなく、数枚の細幅木材片で形成されているから、反る率が少なくなり、床シートとの接触がよくなる。さらに、この滑り防止材の幅を狭くする必要がある時には、木材片と木材片の空間部を介して縦方向に切断すれば、簡単に所望の横幅寸法にできる便利性がある。
【発明を実施するための形態】
【００１９】
以下に、本発明の第１実施の形態を添付の図１〜図４に基づいて説明すれば、本発明に係る剥離する床材の上に敷く滑り防止材１は、プラスチック段ボール２の表面材と、そのプラスチック段ボール２の裏面側に設けられるラス網３の金属突出片とによって構成されている。
【００２０】
上記プラスチック段ボール２は、対向する２枚の上下板４、４の間に、一定間隔毎で平行する複数の連結片５を設けて一体としてなる中空構造に形成されたものであり、材質としてはポリプロピレン樹脂が適しているが、他の樹脂を使用してもよい。
【００２１】
このプラスチック段ボール２は、中空構造による軽量性、耐水性、耐油性、耐久性、断熱性、遮音性に優れている。プラスチック段ボール２の厚さとしては３〜５ｍｍ程度が好適である。３ｍｍ以下であれば、耐強度性、耐久性に問題が生じることから適さず、５ｍｍを超えるとコストが高くなる問題があることから適さない。
【００２２】
上記のラス網３は、薄鉄板に多くの切れ目を規則的に入れ、その切れ目と直角方向に引き伸ばして菱形網目６を作るエキスパンテッド・メタルラスが適している。この菱形網目６は、図３に示すように、メッシュの細い部分のストランド部７、７，７、７とメッシュの交差している太い部分のボンド部８、８，８、８とで構成されており、ボンド部８の位置が高くなっていると共に、一定の角度で傾斜して斜立して突き刺しやすい菱形網目６を形成している。
【００２３】
９はエキスパンテッド・メタルラス３の複数個所を、プラスチック段ボール２の裏面に止着するホッチキス針である。上記実施の形態１においては、エキスパンテッド・メタルラス３を１枚使用の場合で説明したが、図６に示すように、プラスチック段ボール２の裏面に、下のエキスパンテッド・メタルラス３ａの菱形網目６ａを横方向に、上のエキスパンテッド・メタルラス３ｂの菱形網目６ｂを縦方向に交差させて複数枚を重ね合わせ止着する場合もある。このように構成することにより、１枚のエキスパンテッド・メタルラス３より下方に突出した状態になることから、ストランド部７およびボンド部８が一定の角度で傾斜して斜立して突き刺しやすい菱形網目６ｂにより床材への喰い込みがよくなり、一層の滑り防止効果が発揮できるものである。
【００２４】
このように構成された第１実施形態の使用状態を作用、効果と共に説明すれば、軟化剥離剤が塗布されて滑りやすくなっている床シート１０の上に滑り防止材１を敷設するのであるが、滑り防止材１は表面材のプラスチック段ボール２とエキスパンテッド・メタルラス３で構成されているから、極めて軽量になり敷設作業が容易となる。また、敷設された滑り防止材１の上を歩行すると、表面材がプラスチック段ボール２であり、中空構造を有しているから、歩行感が極めて良い。さらに、軟化剥離剤が床シート１０に湿潤しても、表面材がプラスチック段ボール２で、耐水性であるから歩行に際して何ら悪影響を与えることがない。また、滑り防止材１の上を歩くと、斜立した菱形網目６のエキスパンテッド・メタルラス３に重力が加わって床シート１０に喰い込むことになり滑る虞がなく、安全に歩行できるものである。
【００２５】
つぎに、図７〜図１０に示すのは、本発明の第２実施の形態を示すもので、この滑り防止材１１は、表面材をプラスチック段ボール１２とする点は前記実施の形態１と同じであるが、裏面側に細幅の木材片１３を所定間隔毎に配設すると共に、その木材片１３に床材に喰いこむビス１４を打ち込んであり、先端部を尖鋭部１５としたものであり、その木材片１３の上面とプラスチック段ボール１２の下面を接着剤で一体に接合したものである。
【００２６】
このように構成された第２実施形態の使用状態を作用、効果と共に説明すれば、軟化剥離剤が塗布されて滑りやすくなっている床シート１６の上に滑り防止材１１を敷設するのは前記第１実施の形態と同じであり、所定間隔毎に配設された木材片１３にはビス１４の尖鋭部１５が突出しているので、スパイクとなり床シート１６に喰い込むことになって滑る虞がなく安全に歩行できるものである。また、ビス１４の尖鋭部１５が千鳥状に配設されていることから、床シート９への喰い込みが安定する。さらに、床シート１６と接する木材片１３が一枚板でなく、数枚の細幅木材片１３で形成されているから、反る率が少なくなり、床シートとの接触がよくなる。さらに、この滑り防止材１１の幅を狭くする必要がある時には、木材片１３と木材片１３の空間部を介して縦方向に切断すれば、簡単に所望の横幅寸法にできる便利性がある。
【００２７】
以上、本発明の主要な実施の形態について説明したが、本発明は上記の実施の形態に限定されるものではなく、例えば、塩化ビニル製タイルやリノリウムなどの床材を剥離することもあり、要するに、発明の目的を達成でき、かつ発明の要旨を逸脱しない範囲内で種々設計変更が可能であることは言うまでもない。
【産業上の利用可能性】
【００２８】
本発明は、マンションなどの開放廊下、階段、ベランダ、バルコニーなどの床面に敷設されたビニールシート、ゴムシート、リノリウムなどの長尺シート床材やプラスチックタイルあるいはウレタン塗り床材など剥離する床材の上に敷設する滑り防止材として有効に利用できるものである。
【図面の簡単な説明】
【００２９】
【図１】本発明の実施形態１の表面材の斜視図である。
【図２】本発明の実施形態１の簡略底面図である。
【図３】菱形網目の平面図である。
【図４】図３のＡ−Ａ線断面図である。
【図５】本発明の実施形態１の使用状態の縦断面図である。
【図６】ラス網を複数枚使用する場合の簡略底面図である。
【図７】本発明の第２実施形態を示す簡略斜視図である。
【図８】本発明の第２実施形態を示す簡略底面斜視図である。
【図９】本発明の第２実施形態の要部断面図である。
【図１０】本発明の第２実施形態の使用状態の縦断面図である。
【符号の説明】
【００３０】
１  滑り防止材
２  プラスチック段ボール
３  エキスパンテッド・メタルラス
【図１】
0005639880.tif 000002
【図２】
0005639880.tif 000003
【図３】
0005639880.tif 000004
【図４】
0005639880.tif 000005
【図５】
0005639880.tif 000006
【図６】
0005639880.tif 000007
【図７】
0005639880.tif 000008
【図８】
0005639880.tif 000009
【図９】
0005639880.tif 000010
【図１０】
0005639880.tif 000011